(57)【特許請求の範囲】
【請求項１】
表面に付属装置用ポケット部を有する筐体により遮断機構を収納すると共に、上記ポケット部に付属装置を収納し、かつ、一端が上記ポケット部の端縁に蝶番部を介して結合され、他端は固着部品により上記筐体に固着するようになされた補助カバーを用いて上記付属装置を被うようにした回路遮断器において、上記蝶番部の軸受孔を長孔にして上記補助カバーが摺動できるようにすると共に、上記補助カバーの一端に、上記補助カバーを固着したとき上記蝶番部の近傍の筐体内壁面と係合し得るようにされた係合舌片を設け、上記補助カバーの他端と上記筐体との当接部に摺動用斜面を設けたことを特徴とする回路遮断器。
【請求項２】
筐体内壁面とこの筐体内壁面に係合する係合舌片の、いずれか一方に凸部を設け、他方に上記凸部が嵌まる凹部を設けたことを特徴とする請求項１記載の回路遮断器。
【発明の詳細な説明】
【０００１】
【発明の属する技術分野】
この発明は、警報スイッチあるいは補助スイッチ等の付属装置を備えた回路遮断器に関するものである。
【０００２】
【従来の技術】
図５は、例えば特開平６−１２４６３８号公報に示された従来の回路遮断器を示す斜視図である。図６は、図５の回路遮断器の補助カバーを開いた状態を示す斜視図である。図において、１はベース１ａと主カバー１ｂとからなる遮断器の筐体であり、合成樹脂材料で形成されている。２、３は警報スイッチあるいは補助スイッチ等の付属装置（図示せず）の収納部となるポケット部である。５は筐体１に収納された遮断機構（図示せず）を手動で開閉するためのハンドルであり、６はハンドル５を筐体１の外に突出させるためのハンドル座である。７は補助カバーであり、付属装置を組込むとき開閉できるように、主カバー１ｂに形成された軸受部１１と、補助カバー７に形成されたピン１３とにより、回動可能な蝶番構造になっている。なお、補助カバー７が閉じられた状態で補助カバー７は主カバー１ｂに螺着される。８はそのための螺着用の締付ねじ、９はねじ挿通孔、１０は主カバー１ｂに穿設されたねじ孔である。
【０００３】
【発明が解決しようとする課題】
上記のような従来の回路遮断器では、短絡電流のような大電流が流れると、周知のトリップ動作が行われ、接点間にアークが発生する。このアークによるガスが遮断器内部に充満するが、ポケット部２，３にもアークガスにより発生した高い圧力が伝わり、補助カバー７が破壊されることがある。即ち、通常の構造では蝶番構造の部分の機械的強度が弱いので、補助カバー７がアークガスの受圧体になったとき、蝶番構造が破壊する恐れがある。このため、軸受部１１の肉厚を大きくしたり、補助カバー７の締付ねじ８の数を増加しなければならないなどの問題点があった。
【０００４】
この発明は、かかる問題点を解決するためになされたものであり、短絡電流のような大電流が流れた場合に接点間に発生するアークによる高い圧力を受けても、軸受部１１の肉厚を大きくしたり、補助カバー７の締付ねじ８の数を増加することなく、蝶番構造の破壊を防ぐことができる回路遮断器を得ることを目的としている。
【０００５】
【課題を解決するための手段】
この発明に係る回路遮断器は、表面に付属装置用ポケット部を有する筐体により遮断機構を収納すると共に、上記ポケット部に付属装置を収納し、かつ、一端が上記ポケット部の端縁に蝶番部を介して結合され、他端は固着部品により上記筐体に固着するようになされた補助カバーを用いて上記付属装置を被うようにした回路遮断器において、上記蝶番部の軸受孔を長孔にして上記補助カバーが摺動できるようにすると共に、上記補助カバーの一端に、上記補助カバーを固着したとき上記蝶番部の近傍の筐体内壁面と係合し得るようにされた係合舌片を設け、上記補助カバーの他端と上記筐体との当接部に摺動用斜面を設けたものである。
【０００６】
上記の構成とすることにより、蝶番部の機械的強度を強化すると共に、筐体内壁面に対して係合舌片が係合し易く、係合量も増加するように構成したものである。
【０００７】
さらに、筐体内壁面とこの筐体内壁面に係合する係合舌片の、いずれか一方に凸部を設け、他方に上記と凸部が嵌まる凹部を設けることにより、筐体内壁面に対して係合舌片が確実に係合するように構成したものである。
【０００８】
【発明の実施の形態】
実施の形態１．
図１は、この発明の実施の形態１を示す回路遮断器の外観斜視図である。図２は、図１の回路遮断器が短絡電流を遮断した状態を示す要部破断側面図である。図３は、図１の回路遮断器の補助カバーを閉じる途中の状態を示す要部破断側面図である。
【０００９】
図において、２０は合成樹脂材料で形成された遮断器の筐体であり、ベース２１とこのベース２１に着脱自在に固定される主カバー２２とからなり、かつ、遮断機構（図示せず）を収納している。２３は遮断機構を外部から操作するハンドルであり、合成樹脂で形成されている。２４は主カバー２２の表面２２ａにおいて、ハンドル２３の両側にそれぞれ形成された付属装置用ポケット部であり、警報スイッチあるいは補助スイッチ等の付属装置（図示せず）を収納する。
【００１０】
２５はポケット部２４を閉塞する補助カバーであり、合成樹脂で形成され、一端部の内面に突出した一対のピン３０を有し、主カバー２２に着脱自在に取付けられている。この取付けは、主カバー２２の一端部に図２及び図３に示すように長孔３１ａを有する軸受部３１が形成され、この長孔３１ａにピン３０が嵌められる。その嵌め方は、先ず、補助カバー２５においてピン３０の反対側に形成された薄肉部２５ｂを軸受部３１の頂面に当接させ撓ませる。この撓ませによりピン３０が長孔３１ａの位置に対向する。その状態で補助カバー２５を横方向にずらせば、ピン３０が長孔３１ａに嵌まり、薄肉部２５ｂの撓みはもとに戻って図１のようにはめられて蝶番部Ｈが構成される。この補助カバー２５は、通常、取外しすることはないが、取外しする場合には、薄肉部２５ｂを撓ませて、軸受部３１の頂面に乗り上げさせ、さらに横方向にずらせて取外しする。このように構成された蝶番部Ｈは、長孔３１ａの中でピン３０が動くことができる範囲だけ、補助カバー２５を図２に示す矢印Ｋ−Ｌ方向に摺動させることができる。
【００１１】
上記構成における補助カバー２５の裏面側の一端には、図２及び図３に示すように、係合舌片２５ｃが一体的に形成されている。この係合舌片２５ｃは、補助カバー２５を主カバー２２に取付けたとき、主カバー２２の内壁面２２ｂと係合するように形成されている。また、補助カバー２５の裏面側の他端には摺動用斜面２５ｄが形成されている。主カバー２２には、上記の摺動用斜面２５ｄに対向する位置に摺動用斜面２２ｄが形成されている。従って、補助カバー２５の他端は、摺動用斜面２５ｄが摺動用斜面２２ｄを介して主カバー２２と当接する。この摺動用斜面２２ｄ，２５ｄによって、補助カバー２５は、図３の位置から補助カバー２５を摺動させて図２の位置におさまるように構成されている。
【００１２】
さらに、補助カバー２５が閉じられた状態で、補助カバー２５は主カバー２２に螺着される。２６はそのための締付ねじ、２５ａはねじ挿通孔であり、締付ねじ２６は主カバー２２に穿設されたねじ孔（図示せず）に螺合する構造になっている。なお、補助カバー２５の固着は、締付ねじによる螺着に限定されるものではなく、締付ねじ以外の固着部品を用いて固着してもよい。
【００１３】
上記のように構成された回路遮断器では、図２に示すように短絡電流のような大電流が流れたとき、可動接触子４０が固定接触子４１から反発開離することによって、接点間にアークＡが発生する。このアークＡは周囲の気体を急激に膨張させ、アークガスとなって遮断器内部に充満する。このアークガスの一部は排出孔（図示せず）から噴出されるが、遮断器の内部のアークガスは矢印Ｂおよび矢印Ｃ方向へ移動し、補助カバー２５に矢印Ｐ１および矢印Ｐ２の圧力が作用する。この圧力Ｐ１が補助カバー２５に作用すると、ピン３０を介して主カバー２２の軸受部３１を押し上げる作用力になる。
【００１４】
しかし、補助カバー２５は係合舌片２５ｃを介して主カバー２２の内壁面２２ｂにも当接しているために、係合舌片２５ｃにも矢印Ｐ２方向の圧力が作用する。従って、軸受部３１のみに頼らず係合舌片２５ｃの広い面で補助カバー２５を保持できるので、短絡電流のような大電流が流れた場合に接点間に発生するアークによる高い圧力を受けても、軸受部３１の肉厚を大きくしたり、補助カバー２５の締付ねじ２６の数を増加することなく、補助カバー２５および蝶番部Ｈの破壊を防ぐことができる。そして、アークガスによる圧力上昇の高くなる遮断容量の高い回路遮断器に適用可能な補助カバー回動構造を得ることができる。
【００１５】
また、図３に示すように、補助カバー２５が開いた状態では、ピン３０は長孔３１ａの右側にあるが、補助カバー２５を閉じたときには、主カバー２２に形成された斜面２２ｄに補助カバー２５に形成された斜面２５ｄが当接するので、この斜面２５ｄに作用する分力により、ピン３０が長孔３１ａの左側にスライドして移動するとともに、補助カバー２５の係合舌片２５ｃも矢印Ｅ方向に移動し、図２に示すような正規の閉位置である左側に誘い込まれる。このピン３０がスライド可能となっていることで、補助カバー２５の開閉が容易になると共に、主カバー２２の内壁面２２ｂと補助カバー２５の係合舌片２５ｃとの係合量を増すことができ、より耐圧性能の優れた補助カバーの構造を得ることができる。
【００１６】
実施の形態２．
図４は、この発明の実施の形態２を示す回路遮断器の蝶番部Ｈの要部断面図である。図において、５０は補助カバー２５の係合舌片２５ｃの一端に突出して形成された凸部である。５１は主カバー２２の内壁面２２ｂに形成された凹部であり、補助カバー２５の係合舌片２５ｃの凸部５０に対向する位置に設けられている。
【００１７】
この実施の形態２の構成によれば、補助カバー２５を閉じた時に、凸部５０が凹部５１と係合するので、補助カバー２５がアークガスにより矢印Ｐ１方向の大きな圧力を受けたときに、補助カバー２５の係合舌片２５ｃが矢印Ｆ方向へ変位しようとするのを抑制することができる。
【００１８】
上記図４の構成において、補助カバー２５を閉じるとき、すなわちピン３０が長孔３１ａの中をスライドをする際は、凸部５０が主カバー２２の内壁面２２ｂをスライドするが、このとき係合舌片２５ｃは弾性的に撓むようになっている。なお、凸部５０を凹部にして、凹部５１を凸部にしても同様の作用効果が得られる。
【００１９】
【発明の効果】
この発明は、以上説明したように構成されているので、以下に記載されるような効果を奏する。
【００２０】
補助カバーの一端に、補助カバーを固着したとき蝶番部の近傍の筐体内壁面と係合するように形成された係合舌片を設けることにより、蝶番部の機械的強度を強化したので、短絡電流のような大電流が流れた場合に接点間に発生するアークによる高い圧力を受けても、軸受部の肉厚を大きくしたり、補助カバーの締付ねじの数を増加することなく、蝶番部の破壊を防ぐことができる。
【００２１】
また、蝶番部の軸受孔を長孔にして補助カバーが摺動できるようにすると共に、補助カバーの他端は摺動用斜面を介して筐体と当接するように形成したので、筐体内壁面に対して係合舌片が係合し易く、係合量も増加するので、より耐圧性能の優れた補助カバー構造を得ることができる。
【００２２】
さらに、筐体内壁面とこの筐体内壁面に係合する係合舌片の、いずれか一方に凸部を設け、他方に上記凸部が嵌まる凹部を設けることにより、筐体内壁面に対して係合舌片が確実に係合するようにしたので、さらに耐圧性能の優れた補助カバー構造を得ることができる。
【図面の簡単な説明】
【図１】この発明の実施の形態１を示す回路遮断器の斜視図である。
【図２】図１の回路遮断器が短絡電流を遮断した状態を示す要部破断側面図である。
【図３】図１の回路遮断器の補助カバーを閉じる途中の状態を示す要部破断側面図である。
【図４】この発明の実施の形態２を示す回路遮断器の蝶番部の要部断面図である。
【図５】従来の回路遮断器を示す斜視図である。
【図６】図５の回路遮断器の補助カバーが開いた状態を示す斜視図である。
【符号の説明】
２０  筐体、２１  ベース、２２  主カバー、２２ｂ  内壁面、
２２ｄ  主カバーの斜面、２３  ハンドル、２４  付属装置用ポケット部、
２５  補助カバー、２５ｃ  係合舌片、２５ｄ  補助カバーの斜面、
３０  ピン、３１  軸受部、３１ａ  長孔、５０  凸部、５１  凹部、
Ｈ  蝶番部。
【図１】
0003540636.tif 000002
【図２】
0003540636.tif 000003
【図３】
0003540636.tif 000004
【図４】
0003540636.tif 000005
【図５】
0003540636.tif 000006
【図６】
0003540636.tif 000007